(57)【特許請求の範囲】
【請求項１】
被検者の体温を測定する電子体温計であって、
測定により得られた体温情報を表示する表示手段と、
測定により得られた体温情報を時刻情報と対応付けて格納する格納手段と、
今回の測定により得られた体温情報と、前記格納手段に格納された、前回の測定により得られた体温情報とを用いて、体温差と単位時間あたりの体温の変化量とを算出する算出手段と、を備え、
前記表示手段は、前回の測定と今回の測定との時間差が閾値未満である場合に、前記算出手段により算出された前記体温差と前記単位時間あたりの体温の変化量とに応じた傾きを有する識別子を、今回の測定により得られた体温情報とともに、表示することを特徴とする電子体温計。
【請求項２】
前記表示手段は、前記体温差が予め定められた閾値以上であった場合、あるいは、前記単位時間あたりの体温の変化量が予め定められた閾値以上であった場合に、前記識別子である矢印を、前記体温情報の表示方向に対して、上向きまたは下向きに表示することを特徴とする請求項１に記載の電子体温計。
【請求項３】
前記表示手段は、前記体温差が予め定められた範囲にあり、かつ前記単位時間あたりの体温の変化量が予め定められた閾値未満であった場合に、前記識別子である矢印を、前記体温情報の方向に対して、斜め上向きまたは斜め下向きに表示することを特徴とする請求項１に記載の電子体温計。
【請求項４】
前記表示手段は、前記体温差が予め定められた閾値未満であり、かつ、前回の測定と今回の測定との時間差が、所定時間以内ではない場合に、前記識別子である矢印を、前記体温情報の表示方向に対して、水平方向に表示することを特徴とする請求項１に記載の電子体温計。
【請求項５】
前記表示手段は、前記体温差が予め定められた閾値未満であり、かつ、前回の測定と今回の測定との時間差が、所定時間以内である場合に、前記識別子である矢印の表示を行わないことを特徴とする請求項４に記載の電子体温計。
【請求項６】
被検者の体温を測定する電子体温計の表示制御方法であって、
測定により得られた体温情報を表示する表示工程と、
測定により得られた体温情報を時刻情報と対応付けて格納手段に格納する格納工程と、
今回の測定により得られた体温情報と、前記格納手段に格納された、前回の測定により得られた体温情報とを用いて、体温差と単位時間あたりの体温の変化量とを算出する算出工程と、を備え、
前記表示工程は、前回の測定と今回の測定との時間差が閾値未満である場合に、前記算出工程において算出された前記体温差と前記単位時間あたりの体温の変化量とに応じた傾きを有する識別子を、今回の測定により得られた体温情報とともに、表示することを特徴とする電子体温計の表示制御方法。
【請求項７】
請求項６に記載の表示制御方法をコンピュータに実行させるためのプログラムを格納したコンピュータ読取可能な記憶媒体。
【発明の詳細な説明】
【技術分野】
【０００１】
本発明は、被検者の体温を測定する電子体温計及びその表示制御方法に関するものである。
【背景技術】
【０００２】
一般に、電子体温計にはＬＣＤ等の表示部が設けられており、測定された被検者の体温情報を測定完了と同時にユーザに表示するよう構成されている（例えば、下記特許文献１参照）。
【０００３】
また、女性体温計の場合にあっては、測定した体温情報を測定日時と対応付けて記録する機能を備えており、表示部に、前回値を表示させたり、トレンドグラフを表示させたりすることもできる（例えば、下記特許文献２、３参照）。
【先行技術文献】
【特許文献】
【０００４】
【特許文献１】特開２００７−２４５３０号公報
【特許文献２】特開平８−１０１０７５号公報
【特許文献３】特開平１０−２８１８９２号公報
【発明の概要】
【発明が解決しようとする課題】
【０００５】
一方で、発熱時等に被検者の体温を測定する場合においては、現在の体温情報を知るだけでなく、被検者の現在の体温が上昇過程にあるのか、平衡状態にあるのか、あるいは下降過程にあるのか、といった体温の変化の方向を把握しておくことが重要となってくる。
【０００６】
これに対して、従来の電子体温計では、ユーザが、過去の測定結果を呼び出し、順次表示部に表示させたり、トレンドグラフとして表示させたりすることで、体温の変化の方向を読み取る必要があった。
【０００７】
しかしながら、被検者の発熱中にこれらの操作を行うことはユーザにとって煩わしい。このため、発熱時の体温測定に用いられる電子体温計においては、測定完了時に表示部に表示された被検者の現在の体温が、どのような状態にあるのか（上昇過程にあるのか、平衡状態にあるのか、あるいは下降過程にあるのかといった体温の変化の方向）を、ユーザがすぐに把握できるように構成されていることが望ましい。
【０００８】
本発明は上記課題に鑑みてなされたものであり、電子体温計において、被検者の体温の状態を容易に把握できるように構成することを目的とする。
【課題を解決するための手段】
【０００９】
本発明の１の側面は、被検者の体温を測定する電子体温計に係り、前記電子体温計は、測定により得られた体温情報を表示する表示手段と、測定により得られた体温情報を時刻情報と対応付けて格納する格納手段と、今回の測定により得られた体温情報と、前記格納手段に格納された、前回の測定により得られた体温情報とを用いて、体温差と単位時間あたりの体温の変化量とを算出する算出手段と、を備え、前記表示手段は、前回の測定と今回の測定との時間差が閾値未満である場合に、前記算出手段により算出された前記体温差と前記単位時間あたりの体温の変化量とに応じた傾きを有する識別子を、今回の測定により得られた体温情報とともに、表示する。
【発明の効果】
【００１０】
本発明によれば、電子体温計において、被検者の体温の状態を容易に判断できるようにすることが可能となる。
【図面の簡単な説明】
【００１１】
【図１】本発明の一実施形態に係る電子体温計の外観構成の一例を示す図である。
【図２】電子体温計のシステム構成を示す図である。
【図３】電子体温計の体温測定処理の流れを示すフローチャートである。
【図４】電子体温計の表示部の表示例を示す図である。
【図５】表示部に表示される識別子の区分を示す図である。
【図６】電子体温計の体温変化表示処理の流れを示すフローチャートである。
【図７】電子体温計の前回値初期化処理の流れを示すフローチャートである。
【図８】被検者の発熱時の体温の変化の様子を示した図である。
【発明を実施するための形態】
【００１２】
以下、本発明の各実施形態について図面を参照しながら説明する。
【００１３】
［第１の実施形態］
１．電子体温計の外観構成
図１は、本発明の一実施形態に係る棒状の電子体温計１００の外観構成を示す図である。図１（Ａ）は、電子体温計１００の表側の平面図であり、図１（Ｂ）は、電子体温計１００の裏側の平面図である。
【００１４】
図１（Ａ）において、１０１は電子体温計１００の本体ハウジング（筺体１０１）であり、１０２は電子体温計１００の尾部ハウジング（筺体１０２）である。筺体１０２は、筺体１０１に対して、着脱可能に取り付けられている（図１（Ｂ）において、１０５は、筺体１０２を筺体１０１に取り付けた後、ネジ留めするためのねじ穴である）。
【００１５】
１０３はエンドキャップである。エンドキャップ１０３は、サーミスタなどの感温素子が内蔵された温度計測部に対して被検者の体温が伝導しやすいように、ステンレスなどの金属により被覆されている。１０４は体温測定処理の結果として体温データ等を表示する表示部であり、透明の熱可塑性樹脂で形成された窓部材１０４ａにより覆われている。
【００１６】
２．電子体温計のシステム構成
次に、電子体温計のシステム構成について図２を参照しながら説明する。図２は、電子体温計１００のシステム構成を示す図である。
【００１７】
図２に示すように、電子体温計１００は、温度を計測しそれをデジタル値として出力する温度計測部２１０と、計測された温度から予測温度を演算すると共に電子体温計１００全体を制御する演算制御部２２０と、体温測定処理の結果として体温データ等を表示する、バックライト用のＬＥＤ２３１を備えた表示部１０４と、音声を出力するブザー部２４０と、ユーザからの操作を受け付ける入力部２５０と、各部に電源を供給する電源部２６０とを備える。
【００１８】
温度計測部２１０は、並列に接続された感温部に設置されたサーミスタ及びコンデンサと、測温用ＣＲ発振回路とから構成され、サーミスタの温度に対応するカウンタ２２６のカウント量の変化に従い、温度をデジタル量として出力する。なお、温度計測部２１０の構成は一例であって、これに限定されるものではない。
【００１９】
演算制御部２２０は、測定結果（体温データ）を日付及び時刻情報と対応付けて格納するＲＡＭ２２３と、体温測定に必要なパラメータや予測式プログラム等を格納したＲＯＭ（コンピュータ読取可能な記憶媒体）２２２と、日付及び時刻情報を管理するタイマ２２４とを備える。
【００２０】
更に、表示部１０４を制御するための表示制御部２２７と、測温用ＣＲ発振回路の発振信号をカウントするカウンタ２２６と、ＲＯＭ２２２の予測式プログラムに従い予測演算等を行う演算処理部２２１とを備える。更に、カウンタ２２６や演算処理部２２１、表示制御部２２７を制御する制御回路２２５を備える。なお、体温データなどを格納する一時記憶領域には、不揮発性の書き換え可能メモリを用いるようにしてもよい。
【００２１】
３．電子体温計の体温測定手順
続いて、図３を用いて電子体温計１００における体温測定処理の流れを説明する。図３は電子体温計１００の体温測定処理の流れを示すフローチャートである。
【００２２】
電子体温計１００の電源部２６０がＯＮされると体温測定処理が開始され、ステップＳ３０１では、電子体温計１００の初期化が行われるとともに、温度計測部２１０による温度計測が開始される。また、演算処理部２２１では、所定間隔、例えば、０．５秒おきに温度データの算出が行われる。
【００２３】
ステップＳ３０２では、体温測定開始条件が成立したか否かを判断する。具体的には、前回の温度計測により算出された温度データの値（つまり、０．５秒前の温度データの値）からの上昇度が、所定温度以上（例えば、１℃以上）となったか否かを判断する。
【００２４】
ステップＳ３０２において上昇度が所定温度以上になったと判断した場合には、体温測定開始条件が成立したと判断し、当該温度データを算出したタイミングを、予測体温演算の基準点（ｔ＝０）として設定する。つまり、電子体温計１００では、急激な温度上昇が計測されると、被検者が、所定の計測部位に電子体温計１００を装着したものとみなす。
【００２５】
ステップＳ３０２において、体温測定開始条件が成立したと判断されると、ステップＳ３０３に進み、温度データの取り込みを開始する。具体的には、算出された温度データと、当該温度データを算出したタイミングとを、時系列データとしてＲＡＭ２２３に格納する。
【００２６】
ステップＳ３０４では、ステップＳ３０３において格納された温度データを用いて、所定の予測式により、予測体温を演算する。
【００２７】
ステップＳ３０５では、基準点（ｔ＝０）から所定時間（例えば２５秒）、経過した後に、ステップＳ３０４において演算された一定区間（例えば、ｔ＝２５〜３０秒）における予測値が、予め設定された予測成立条件を満たすか否かを判断する。具体的には、所定の範囲（例えば、０．１℃）以内に収まっているか否かを判断する。
【００２８】
ステップＳ３０５において、予測成立条件を満たすと判断された場合には、ステップＳ３０６に進み、予測体温の演算を終了するとともに、温度計測部２１０による温度計測を終了する。
【００２９】
ステップＳ３０７では、ブザー部２４０が予測体温の演算が終了した旨の音声を出力し、表示部１０４に、演算された予測体温（体温データ）を表示する。
【００３０】
一方、ステップＳ３０５において、予測成立条件を満たさないと判断された場合には、ステップＳ３１１に進む。ステップＳ３１１では、基準点（ｔ＝０）から所定時間（例えば３００秒）経過したか否かを判断し、経過したと判断された場合には、体温の演算を強制終了するとともに、温度計測部２１０による温度計測を強制終了する。なお、強制終了した場合には、その際に演算されていた体温（体温データ）を、表示部１０４に表示する（ステップＳ３０７）。
【００３１】
ステップＳ３０８では、ステップＳ３０６またはステップＳ３１１において演算された体温データと、前回値（前回の体温測定処理において演算され、ＲＡＭ２２３の特定領域に測定時刻とともに前回値として格納された体温データ）とを対比し、体温がどのように変化しているかを判断する。更に、判断結果に対応する識別子を表示部１０４に表示する。なお、ステップＳ３０８の体温変化表示処理の詳細は後述する。
【００３２】
ステップＳ３０９では、ステップＳ３０６またはステップＳ３１１において演算された体温データを、日付及び時刻情報と対応付けてＲＡＭ２２３に格納する。
【００３３】
ステップＳ３１０では、体温測定終了指示を受け付けたか否かを判断する。ステップＳ３１０において、体温測定終了指示を受け付けていないと判断された場合には待機し、体温測定終了指示を受け付けたと判断された場合には、電源部２６０をＯＦＦにする。
【００３４】
なお、実測値のみを測定する電子体温計にあっては、ステップＳ３０３の処理の後、所定時間（５〜１０分）後に、ブザー部２４０で体温の測定が終了した旨の音声を出力し、体温を表示部１０４に表示した後に、ステップＳ３０８に進むものとする。
【００３５】
４．体温の変化の方向と識別子との関係
続いて、体温変化表示処理の詳細について説明する。はじめに、体温の変化の方向と表示部１０４に表示される識別子との関係について、図４及び図５を用いて説明する。図４は、表示部１０４に表示される体温の変化の方向を示す識別子の表示例を示す図である。
【００３６】
図４に示すように、電子体温計１００では、体温の変化の方向を３つの区分に分け（Ｉ〜ＩＩＩ）、５種類の識別子（矢印）を用いて表示する。
【００３７】
第１の区分（Ｉ）は、今回の体温測定処理において演算された体温データ（今回値）と、前回値（前回の体温測定処理において演算され、ＲＡＭ２２３の特定領域に測定時刻とともに前回値として格納された体温データ）との差が、±１℃以上あること、あるいは、前回値から今回値までの体温変化の傾き（単位時間あたりの体温の変化量）が、０．５℃／時以上あることを条件としている。第１の区分の条件を満たす場合には、今回値とともに、今回値の表示方向に対して垂直方向上向きの矢印（４１１）または垂直方向下向きの矢印（４１２）を表示する。
【００３８】
第２の区分（ＩＩ）は、今回の体温測定処理において演算された体温データ（今回値）と、前回値（前回の体温測定処理において演算され、ＲＡＭ２２３の特定領域に測定時刻とともに前回値として格納された体温データ）との差が、±０．５℃以上で±１．０℃未満であること、かつ、前回値から今回値までの体温変化の傾き（単位時間あたりの体温の変化量）が、０．５℃／時未満であることを条件としている。第２の区分の条件を満たす場合には、今回値とともに、今回値の表示方向に対して斜め上向きの矢印（４２１）または斜め下向きの矢印（４２２）を表示する。
【００３９】
第３の区分（ＩＩＩ）は、今回の体温測定処理において演算された体温データ（今回値）と、前回値（前回の体温測定処理において演算され、ＲＡＭ２２３の特定領域に測定時刻とともに前回値として格納された体温データ）との差が、±０．５℃未満であることを条件としている。第３の区分の条件を満たす場合には、今回値とともに、今回値の表示方向に対して水平方向の矢印（４３１）を表示する。
【００４０】
なお、第３の区分の条件を満たす場合であって、前回値を演算した際の測定時刻と、今回値を演算した際の測定時刻との差（時間差）が、１時間以内（所定時間以内）であった場合には、今回値のみを表示し、水平方向の矢印（４３１）の表示は行わないものとする。
【００４１】
図５は表示部１０４に表示される識別子の区分を示す図である。図５において、横軸は、前回値と今回値との差（体温差）を示しており、縦軸は、前回値を演算した際の測定時刻と、今回値を演算した際の測定時刻との差（時間差）を示している。
【００４２】
上記第１乃至第３の区分（Ｉ〜ＩＩＩ）を、体温差と時間差とにより構成される２次元領域にあてはめると、図５のように区分される。なお、領域５０１は、矢印が表示されない条件を示す領域である。
【００４３】
５．体温変化表示処理の流れ
次に、体温変化表示処理（ステップＳ３０８）の流れについて、図６及び図７を用いて説明する。
【００４４】
図６は、電子体温計１００における体温変化表示処理の流れを示すフローチャートであり、図７は、体温変化表示処理において用いられる前回値を初期化するための前回値初期化処理の流れを示すフローチャートである。
【００４５】
ステップＳ６０１では、前回値を初期化するための前回値初期化処理を実行する。具体的には、図７のステップＳ７０１に進み、前回値の測定時刻と今回値の測定時刻とを対比する。ステップＳ７０２では、前回値の測定時刻と今回値の測定時刻との時間差が、所定時間以上（閾値以上）あるか否かを判定する。
【００４６】
ステップＳ７０２において、前回値の測定時刻と今回値の測定時刻との時間差が、所定時間（例えば、閾値＝７２時間）以上あると判定された場合には、体温の変化の方向を表示するために、現時点で前回値としてＲＡＭ２２３の特定領域に測定時刻とともに格納されている体温データは適切でないと判断し、ステップＳ７０３において今回値を測定時刻とともに前回値に上書きする。その後、ステップＳ３０９に戻る。この場合、表示部１０４には、今回値の表示のみが行われ、矢印の表示は行われない。
【００４７】
このように、電子体温計１００では前回値の測定時刻と今回値の測定時刻との時間差が大きい場合には、前回値と今回値とを比較することに意味がないと判断し、矢印の表示も行わない。
【００４８】
一方、ステップＳ７０２において、前回値の測定時刻と今回値の測定時刻との時間差が、所定時間未満（閾値未満）であると判定された場合には、体温の変化の方向を表示するための体温データとして、現時点で前回値としてＲＡＭ２２３の特定領域に測定時刻とともに格納されている体温データは適切であると判断し、図６のステップＳ６０２に戻る。
【００４９】
ステップＳ６０２では、今回値と前回値とを対比し、今回値と前回値との体温差を算出する。また、ステップＳ６０３では、ステップＳ６０２において算出された体温差と、今回値の測定時刻と前回値の測定時刻との時間差とを用いて、体温変化の傾き（単位時間あたりの体温の変化量）を算出する。
【００５０】
ステップＳ６０４では、ステップＳ６０２において算出された体温差が、１．０℃以上（閾値以上）あるか否かを判定する。ステップＳ６０４において、体温差が１．０℃以上あると判定された場合には、ステップＳ６０８に進む。
【００５１】
ステップＳ６０８では、前回値よりも今回値の方が体温が高い場合には、垂直方向上向きの矢印（４１１）を表示部１０４に表示する。また、前回値よりも今回値の方が体温が低い場合には、垂直方向下向きの矢印（４１２）を表示部１０４に表示する。これにより、ユーザは、表示部１０４に表示されている今回値が、前回値と比較して急激に上昇（または下降）したことを、容易に把握することができる。
【００５２】
一方、ステップＳ６０４において、体温差が１．０℃未満（閾値未満）であると判定された場合には、ステップＳ６０５に進む。ステップＳ６０５では、ステップＳ６０３において算出された単位時間あたりの体温の変化量が、０．５℃／時以上（閾値以上）あるか否かを判定する。
【００５３】
ステップＳ６０５において、単位時間あたりの体温の変化量が、０．５℃／時以上（閾値以上）あると判定された場合には、ステップＳ６０８に進む。一方、ステップＳ６０５において、単位時間あたりの体温の変化量が０．５℃／時未満（閾値未満）であると判定された場合には、ステップＳ６０６に進む。
【００５４】
ステップＳ６０６では、ステップＳ６０２において算出された体温差が、０．５℃以上（閾値以上）あるか否かを判定する。ステップＳ６０６において、体温差が０．５℃以上（閾値以上）あると判定された場合には、ステップＳ６０９に進む。
【００５５】
ステップＳ６０９では、前回値よりも今回値の方が体温が高い場合には、斜め上向きの矢印（４２１）を表示部１０４に表示する。また、前回値よりも今回値の方が体温が低い場合には、斜め下向きの矢印（４２２）を表示部１０４に表示する。これにより、ユーザは、表示部１０４に表示されている今回値が、前回値と比較してやや上昇（または下降）したことを、容易に把握することができる。
【００５６】
一方、ステップＳ６０６において、体温差が０．５℃未満であると判定された場合には、ステップＳ６０７に進む。ステップＳ６０７では、前回値の測定時刻と、今回値の測定時刻との時間差が、１時間以内（所定時間以内）であるか否かを判定し、１時間以内ではないと判定された場合には、ステップＳ６１０に進む。
【００５７】
ステップＳ６１０では、水平方向の矢印（４３１）を表示部１０４に表示する。これにより、ユーザは、表示部１０４に表示されている今回値が、前回値と概ね同じであり、平衡状態にあることを、容易に把握することができる。
【００５８】
一方、ステップＳ６０７において１時間以内であると判定された場合には、体温変化の方向を示す識別子の表示を行うことなく、図３のステップＳ３０９に戻る。
【００５９】
なお、ステップＳ６０８〜ステップＳ６１０のいずれかにおいて、表示部１０４に矢印を表示した場合には、ステップＳ６１１に進み、前回値を今回値で上書きした後、ステップＳ３０９に戻る。
【００６０】
６．実施例
次に、体温測定処理の実施例について図８を用いて説明する。図８は、発熱時の体温の変化を模式的に示した図であり、横軸は時間を、縦軸は体温をそれぞれ示している。図８において、曲線８００は被検者の実際の体温変化を示しており、曲線８００上に付された各丸印は電子体温計１００を用いて体温測定を行ったタイミングを示している。
【００６１】
また、各丸印の近傍に付された矢印は、各丸印のタイミングで体温測定を行った際に、表示部１０４に表示された矢印を示している。なお、各丸印のうち、黒丸印は、体温測定により演算された体温データが前回値として格納されたことを示しており、白丸印は、体温測定により演算された体温データが前回値として格納されなかったことを示している。
【００６２】
図８に示すように、被検者の体温が上がりはじめたタイミング８０１で体温測定が行われると、前回値の測定時刻（図８において不図示）と今回値の測定時刻との間に、所定時間以上（閾値以上）の時間差があるため、今回値の体温データにより、前回値の体温データが上書きされる（ステップＳ７０１→Ｓ７０２→Ｓ７０３）。この場合、表示部１０４に矢印が表示されることはなく、今回値が表示された後、体温測定処理が終了する（ステップＳ３０９→Ｓ３１０）。
【００６３】
続いて、タイミング８０２で体温測定が行われると、タイミング８０１で演算された体温データを前回値として、体温差及び傾きが算出される。この場合、前回値と今回値との体温差及び傾きが領域５０１の条件を満たすため、表示部１０４に矢印が表示されることはなく、今回値が表示された後、体温測定処理が終了する（ステップＳ６０４→Ｓ６０５→Ｓ６０６→Ｓ６０７でＹｅｓ）。
【００６４】
続いて、タイミング８０３で体温測定が行われると、タイミング８０１で演算された体温データを前回値として、体温差及び傾きが算出される。この場合、前回値と今回値との体温差及び傾きが第２の区分（ＩＩ）の条件を満たすため、表示部１０４には矢印８２３が表示されるとともに、今回値により、前回値が上書きされる（ステップＳ６０４→Ｓ６０５→Ｓ６０６→Ｓ６０９→Ｓ６１１）。
【００６５】
続いて、タイミング８０４で体温測定が行われると、タイミング８０３で演算された体温データを前回値として、体温差及び傾きが算出される。この場合、前回値と今回値との体温差及び傾きが第１の区分（Ｉ）の条件を満たすため、表示部１０４には矢印８２４が表示されるとともに、今回値により、前回値が上書きされる（ステップＳ６０４→Ｓ６０８→Ｓ６１１）。
【００６６】
以降、タイミング８０５〜８０６、８１０〜８１３では、算出された体温差及び傾きに対応する矢印が表示されるとともに、体温測定により演算された体温データを、次の体温測定の際に用いる前回値として格納する。一方、タイミング８０７〜８０９では、算出された体温差及び傾きが、領域５０１の条件を満たすため、表示部１０４に矢印が表示されることはなく、また、体温測定により演算された体温データが前回値としてＲＡＭ２２３の特定の領域に測定時刻とともに格納されることもない（このため、タイミング８１０では、タイミング８０６で演算された体温データが前回値として用いられることとなる）。
【００６７】
以上の説明から明らかなように、本実施形態に係る電子体温計１００では、体温測定処理により得られた体温情報を日付及び時刻情報と対応付けて格納する構成とした。また、体温測定処理により得られた体温情報（今回値）を、前回値と比較することで、今回値が演算された際の被検者の体温が、上昇過程にあるのか、平衡状態にあるのか、下降過程にあるのかをただちに認識することができるようになる。つまり、被検者の体温の状態（体温の変化の方向）を、容易に把握できるようになる。
【００６８】
［第２の実施形態］
上記第１の実施形態では、体温差と傾きとに基づいて、第１乃至第３の区分に分類し、５種類の矢印により被検者の体温の変化を表現することとしたが、本発明はこれに限定されない。例えば、区分数を増やし、識別子の種類を増やすようにしてもよい。また、識別子の色は黒色に限定されず、区分に応じて変化させるようにしてもよい。更に、識別子の形、大きさを区分に応じて変化させるように構成してもよい。
【００６９】
また、上記第１の実施形態では、体温データは、日付及び時刻情報と対応付けてＲＡＭ２２３に格納されることとしたが、本発明はこれに限定されず、例えば、表示部１０４に矢印が表示された場合にあっては、当該矢印も対応付けて格納するように構成してもよい。
【００７０】
また、上記第１の実施形態では、体温測定において演算された体温データは、日付及び時刻情報と対応付けてＲＡＭ２２３に格納されるとともに、前回値として、別途、特定領域に格納される構成としたが、本発明はこれに限定されない。例えば、日付及び時刻情報と対応付けて格納された体温データのうち、前回値として処理されるべき体温データについては、所定のフラグを付加するようにしてもよい。
【符号の説明】
【００７１】
１００・・・電子体温計、１０１・・・筐体、１０２・・・筐体、１０３・・・エンドキャップ、１０４・・・表示部、１０４ａ・・・窓部材
【図１】
0005820212.tif 000002
【図２】
0005820212.tif 000003
【図３】
0005820212.tif 000004
【図４】
0005820212.tif 000005
【図５】
0005820212.tif 000006
【図６】
0005820212.tif 000007
【図７】
0005820212.tif 000008
【図８】
0005820212.tif 000009